(57)【要約】【課題】  カバーの開閉操作を邪魔せずにカバーからハウジングへの放熱経路を形成できるコネクタを提供する。【解決手段】  コネクタ１０のカバー４０は、軸部４３０、第１カバー接点４２６及び第２カバー接点４５０を有する。ハウジング２２は、軸受容部３２、第１接触部２６８、第２接触部２７０及び第３接触部２７２を有する。軸部４３０は、軸受容部３２に受容され、カバー４０は、開位置、閉位置及びロック位置のいずれかに位置できるようにハウジング２２に取り付けられる。第１接触部２６８は、軸受容部３２内に露出する。カバー４０がロック位置にあるとき、軸部４３０は、下方から第１接触部２６８に対向し、第２カバー接点４５０は、下方から第２接触部２７０に対向する。カバー４０が閉位置にあるとき、第１カバー接点４２６は、第３接触部２７２に接触せず、カバー４０がロック位置にあるとき、第１カバー接点４２６は、第３接触部２７２に接触する。【選択図】図３
2020004607.tif 000002
【特許請求の範囲】
【請求項１】
基板に搭載されるコネクタであって、
カバーと、ハウジングと、複数の端子列とを備えており、
前記ハウジングは、複数のカード接点を有するカードを収容する収容部を有しており、
前記ハウジングには、二つの軸受容部と、二つのロック部が設けられており、
前記ロック部は、前後方向において前記軸受容部より前方に位置しており、
前記軸受容部は、前記前後方向と直交する横方向において互いに離れて位置しており、
前記ロック部は、前記横方向において互いに離れて位置しており、
前記ハウジングは、絶縁体部と、フレームとを備えており、
前記絶縁体部は、前記端子列を保持しており、
前記絶縁体部は、部分的に露出させた状態で前記フレームを保持しており、
前記フレームは、金属からなる一体物であり、かつ複数の被固定部と、二つの第１接触部と、二つの第２接触部と、複数の第３接触部と、複数の支持バネ部とを有しており、
前記第１接触部は、前記軸受容部に夫々対応しており、
前記第１接触部は、対応する前記軸受容部内に露出しており、
前記第２接触部は、前記ロック部に夫々対応しており、
前記支持バネ部は、弾性を有し、かつ前記前後方向において前記第１接触部と前記第２接触部との間に位置しており、
前記第３接触部は、前記支持バネ部に夫々支持されており、
前記第３接触部は、前記支持バネ部の前記弾性により、少なくとも前記前後方向と直交する方向において移動可能であり、
前記被固定部は、前記コネクタが前記基板に搭載された際に、前記基板上に固定されるものであり、
前記前後方向において、前記第１接触部と前記第３接触部との間には、少なくとも一つの前記被固定部が設けられており、
前記前後方向において、前記第２接触部と前記第３接触部との間には、少なくとも一つの前記被固定部が設けられており、
前記端子列の夫々は、前記横方向に並べられた複数の端子からなり、
前記端子の夫々は、接点と、支持部とを有しており、
前記接点は前記収容部内に位置しており、
前記支持部は、弾性を有し、かつ前記接点を支持しており、
前記接点は、前記支持部の前記弾性により、少なくとも前記前後方向と前記横方向の双方と直交する上下方向に移動可能であり、
前記カードが前記収容部に収容されると、前記接点は前記カード接点によって前記上下方向において下方へ押し下げられ、かつ前記支持部の反力により上向きの力を受け、
前記カバーは、金属からなり、かつ主部と、二つの軸部と、二つの第１カバー接点と、二つの被ロック部と、二つの第２カバー接点とを有しており、
前記軸部は、前記横方向において前記主部の外側に位置しており、
前記軸部は、前記軸受容部に夫々受容されており、それによって前記カバーは、開位置、閉位置及びロック位置のいずれかに位置することができるように前記ハウジングに取り付けられており、
前記カバーは、前記開位置と前記閉位置との間で、前記軸部を軸として回転移動可能であり、
前記カバーは、前記閉位置と前記ロック位置との間で、前記前後方向において移動可能であり、
前記ロック位置にあるとき、前記カバーの主部は、前記ハウジングの上方又は上部に位置し、かつ前記収容部を覆っており、
前記カバーが前記ロック位置にあるとき、前記軸部は、前記第１接触部の下方に位置し、かつ前記上下方向において前記第１接触部と対向しており、
前記被ロック部は、前記横方向において前記主部の外側に位置しており、
前記カバーが前記ロック位置にあるとき、前記被ロック部は、前記前後方向において前記軸部よりも前方に位置しており、
前記第２カバー接点は、前記横方向において前記主部の外側に位置しており、
前記カバーが前記ロック位置にあるとき、前記第２カバー接点は、前記第２接触部の下方に位置し、かつ前記上下方向において前記第２接触部と対向しており、
前記カバーが前記閉位置にあるとき、前記第１カバー接点は、前記第３接触部に接触しておらず、
前記カバーが前記ロック位置にあるとき、前記第１カバー接点は、前記第３接触部に接触している
コネクタ。
【請求項２】
請求項１に記載のコネクタであって、
前記カードが前記収容部に収容されており、かつ前記カバーが前記ロック位置にあるとき、前記被ロック部は、前記ロック部によって前記前後方向における後方への移動を規制されており、
前記カードが前記収容部に収容されており、かつ前記カバーが前記ロック位置にあるとき、前記軸部は前記第１接触部と接触する一方、前記第２カバー接点は前記第２接触部と接触する
コネクタ。
【請求項３】
請求項１又は請求項２に記載のコネクタであって、
前記上下方向に沿って見たとき、前記フレームは、前記収容部の少なくとも三方を囲んでいる
コネクタ。
【請求項４】
請求項１から請求項３までのいずれか一つに記載のコネクタであって、
前記第３接触部は、少なくとも前記横方向において移動可能である
コネクタ。
【請求項５】
請求項１から請求項４までのいずれか一つに記載のコネクタであって、
前記閉位置にある前記カバーを、前記前後方向において前方に移動させると、前記カバーは前記ロック位置に移行する
コネクタ。
【請求項６】
請求項１から請求項５までのいずれか一つに記載のコネクタであって、
前記ハウジングは、前記前後方向において後方に張り出した二つ張出部を有しており、
前記ロック部は、前記張出部に夫々設けられており、
前記カバーが前記閉位置から前記ロック位置に移動する際に、前記被ロック部は、前記上下方向において前記張出部の下側に移動する
コネクタ。
【請求項７】
請求項６に記載のコネクタであって、
前記ロック部及び前記第２接触部の夫々は、上下方向において前記張出部から下方に突出しており、
前記カバーには、二つのタブが設けられており、
前記タブの夫々には開口部が設けられており、
前記被ロック部は前記開口部の縁で構成されており、
前記第２カバー接点は、前記タブの上面に形成されている
コネクタ。
【発明の詳細な説明】
【技術分野】
【０００１】
本発明は、コネクタに関し、特にカード型デバイス用のコネクタに関する。
【背景技術】
【０００２】
特許文献１は、収容したカード型デバイスで発生した熱をコネクタが搭載される基板へ逃がす構造を持つコネクタを開示している。図１６に示されるように、特許文献１のコネクタ９０は、コネクタ本体（ハウジング）９１とカバー部材（カバー）９２とを備えている。コネクタ本体９１は、使用時に基板（図示せず）に実装される。カバー部材９２は、コネクタ本体９１に開閉可能に取り付けられている。コネクタ本体９１には、伝熱部材９１１が設けられている。伝熱部材９１１は、コネクタ９０が搭載される基板に接合される。カバー部材９２には、放熱用舌片９２１と垂下部９２３とが形成されている。放熱用舌片９２１は、バネ性を有している。カバー部材９２を閉じると、放熱用舌片９２１がカード型デバイス（図示せず）に接触するとともに、垂下部９２３が伝熱部材９１１に圧接する。その結果、カード型デバイスで発生した熱は、カバー９２の放熱用舌片９２１及び下部９２３と、コネクタ本体９１の伝熱部材９１１とを介して基板へと伝えられる。
【０００３】
一方、特許文献２は、カバーを閉じた後、カバーを前後方向にスライドさせてロック状態を維持する構造を持つコネクタを開示している。図１７（ａ）から図１７（ｄ）までの図に示されるように、特許文献２のコネクタ９５は、ハウジング９６とカバー９７とを備えている。カバー９７は軸突起９７１を介してハウジング９６に取り付けられている。カバー９７は、軸突起９７１を軸として、開状態（図１７（ａ））と閉状態（図１７（ｂ））との間で移行可能である。カバー９７が閉状態のとき、カバー９７を前方へ移動させると、カバー９７は、遷移状態（図１７（ｃ））を経てロック状態（図１７（ｄ））へ移行する。ロック状態において、カバー９７の先端部９７３はハウジング９６の係止部９６１に係り、カバー９７がロック状態から開状態へ直接移行することが防止される。
【先行技術文献】
【特許文献】
【０００４】
【特許文献１】特開２００２−１９８１１０号公報
【特許文献２】特開２００３−８６３０２号公報
【発明の概要】
【発明が解決しようとする課題】
【０００５】
カード型デバイス用のコネクタにおいて、カード型デバイスで発生した熱を効率よく基板へ逃がすためには、カバーとハウジングとの間の接触部の数が多い方がよい。その一方で、カバーとハウジングとの間の接触部が、カバーの開閉操作の邪魔になるという状況は避けたいという要望がある。
【０００６】
そこで、本発明は、カバーの開閉操作を邪魔することなくカバーからハウジングへの放熱経路を形成できる放熱構造を備えたコネクタを提供することを目的とする。
【課題を解決するための手段】
【０００７】
本発明は、既存のコネクタと共通する部位を放熱に利用する一方で、新たな放熱用構造をも備えたコネクタを提供する。新たな放熱用構造は、ハウジングが備える接触部が、カバーの開閉操作時にはカバーに接触せず、カバーが閉状態からロック状態に移行するとカバーに接触するように構成されている。
【０００８】
詳しくは、本発明は、第１のコネクタとして、基板に搭載されるコネクタであって、
カバーと、ハウジングと、複数の端子列とを備えており、
前記ハウジングは、複数のカード接点を有するカードを収容する収容部を有しており、
前記ハウジングには、二つの軸受容部と、二つのロック部が設けられており、
前記ロック部は、前後方向において前記軸受容部より前方に位置しており、
前記軸受容部は、前記前後方向と直交する横方向において互いに離れて位置しており、
前記ロック部は、前記横方向において互いに離れて位置しており、
前記ハウジングは、絶縁体部と、フレームとを備えており、
前記絶縁体部は、前記端子列を保持しており、
前記絶縁体部は、部分的に露出させた状態で前記フレームを保持しており、
前記フレームは、金属からなる一体物であり、かつ複数の被固定部と、二つの第１接触部と、二つの第２接触部と、複数の第３接触部と、複数の支持バネ部とを有しており、
前記第１接触部は、前記軸受容部に夫々対応しており、
前記第１接触部は、対応する前記軸受容部内に露出しており、
前記第２接触部は、前記ロック部に夫々対応しており、
前記支持バネ部は、弾性を有し、かつ前記前後方向において前記第１接触部と前記第２接触部との間に位置しており、
前記第３接触部は、前記支持バネ部に夫々支持されており、
前記第３接触部は、前記支持バネ部の前記弾性により、少なくとも前記前後方向と直交する方向において移動可能であり、
前記被固定部は、前記コネクタが前記基板に搭載された際に、前記基板上に固定されるものであり、
前記前後方向において、前記第１接触部と前記第３接触部との間には、少なくとも一つの前記被固定部が設けられており、
前記前後方向において、前記第２接触部と前記第３接触部との間には、少なくとも一つの前記被固定部が設けられており、
前記端子列の夫々は、前記横方向に並べられた複数の端子からなり、
前記端子の夫々は、接点と、支持部とを有しており、
前記接点は前記収容部内に位置しており、
前記支持部は、弾性を有し、かつ前記接点を支持しており、
前記接点は、前記支持部の前記弾性により、少なくとも前記前後方向と前記横方向の双方と直交する上下方向に移動可能であり、
前記カードが前記収容部に収容されると、前記接点は前記カード接点によって前記上下方向において下方へ押し下げられ、かつ前記支持部の反力により上向きの力を受け、
前記カバーは、金属からなり、かつ主部と、二つの軸部と、二つの第１カバー接点と、二つの被ロック部と、二つの第２カバー接点とを有しており、
前記軸部は、前記横方向において前記主部の外側に位置しており、
前記軸部は、前記軸受容部に夫々受容されており、それによって前記カバーは、開位置、閉位置及びロック位置のいずれかに位置することができるように前記ハウジングに取り付けられており、
前記カバーは、前記開位置と前記閉位置との間で、前記軸部を軸として回転移動可能であり、
前記カバーは、前記閉位置と前記ロック位置との間で、前記前後方向において移動可能であり、
前記ロック位置にあるとき、前記カバーの主部は、前記ハウジングの上方又は上部に位置し、かつ前記収容部を覆っており、
前記カバーが前記ロック位置にあるとき、前記軸部は、前記第１接触部の下方に位置し、かつ前記上下方向において前記第１接触部と対向しており、
前記被ロック部は、前記横方向において前記主部の外側に位置しており、
前記カバーが前記ロック位置にあるとき、前記被ロック部は、前記前後方向において前記軸部よりも前方に位置しており、
前記第２カバー接点は、前記横方向において前記主部の外側に位置しており、
前記カバーが前記ロック位置にあるとき、前記第２カバー接点は、前記第２接触部の下方に位置し、かつ前記上下方向において前記第２接触部と対向しており、
前記カバーが前記閉位置にあるとき、前記第１カバー接点は、前記第３接触部に接触しておらず、
前記カバーが前記ロック状態にあるとき、前記第１カバー接点は、前記第３接触部に接触している
コネクタを提供する。
【０００９】
また、本発明は、第２のコネクタとして、第１のコネクタであって、
前記カードが前記収容部に収容されており、かつ前記カバーが前記ロック位置にあるとき、前記被ロック部は、前記ロック部によって前記前後方向における後方への移動を規制されており、
前記カードが前記収容部に収容されており、かつ前記カバーが前記ロック位置にあるとき、前記軸部は前記第１接触部と接触する一方、前記第２カバー接点は前記第２接触部と接触する
コネクタを提供する。
【００１０】
また、本発明は、第３のコネクタとして、第１又は第２のコネクタであって、
前記上下方向に沿って見たとき、前記フレームは、前記収容部の少なくとも三方を囲んでいる
コネクタを提供する。
【００１１】
また、本発明は、第４のコネクタとして、第１から第３のコネクタのいずれかであって、
前記第３接触部は、少なくとも前記横方向において移動可能である
コネクタを提供する。
【００１２】
また、本発明は、第５のコネクタとして、第１から第４のコネクタのいずれかであって、
前記閉状態にある前記カバーを、前記前後方向において前方に移動させると、前記カバーは前記ロック状態に移行する
コネクタを提供する。
【００１３】
また、本発明は、第６のコネクタとして、第１から第５のコネクタのいずれかであって、
前記ハウジングは、前記前後方向において後方に張り出した二つ張出部を有しており、
前記ロック部は、前記張出部に夫々設けられており、
前記カバーが前記閉状態から前記ロック状態に移動する際に、前記被ロック部は、前記上下方向において前記張出部の下側に移動する
コネクタを提供する。
【００１４】
さらに、本発明は、第７のコネクタとして、第１から第６のコネクタのいずれかであって、
前記ロック部及び前記第２接触部の夫々は、上下方向において前記張出部から下方に突出しており、
前記カバーには、二つのタブが設けられており、
前記タブの夫々には開口部が設けられており、
前記被ロック部は前記開口部の縁で構成されており、
前記第２カバー接点は、前記タブの上面に形成されている
コネクタを提供する。
【発明の効果】
【００１５】
本発明のコネクタにおいて、ハウジングのフレームは第１接触部、第２接触部及び第３接触部を有している。第２接触部及び第３接触部は、カバーの開閉操作の間においてカバーに接触せず、カバーが閉状態からロック状態に移行するとカバーに接触する。これにより、カバーの開閉操作を妨げることなく、カバーからハウジングへの熱伝達経路を形成できる。
【００１６】
また、本発明のコネクタにおいて、フレームは一体物で構成されているので、カバーからフレームに伝わった熱はフレーム全体に分散する。それゆえ、第１から第３の接触部のいずれかに接触不良が生じても、フレームから基板への熱伝達は、その影響を受けることなく行える。
【図面の簡単な説明】
【００１７】
【図１】本発明の一実施の形態によるコネクタをカード型デバイスとともに示す第１の斜視図である。カバーは、開位置に位置している。カード型デバイスは、カバーによって保持されている。
【図２】図１のコネクタをカード型デバイスとともに示す第２の斜視図である。カバーは、開位置と閉位置との間に位置している。カード型デバイスは、部分的にハウジングの収容部に収容されている。
【図３】図１のコネクタをカード型デバイスとともに示す第３の斜視図である。カバーは閉位置に位置している。カード型デバイスは、ハウジングの収容部に収容されている。
【図４】図１のコネクタをカード型デバイスとともに示す第４の斜視図である。カバーはロック位置に位置している。カード型デバイスは、ハウジングの収容部に収容されている。
【図５】図１のコネクタに含まれるコネクタ本体を示す斜視図である。
【図６】図５に示されるコネクタ本体を示す斜視図である。絶縁体部は取り除かれている。
【図７】図６のコネクタ本体に含まれる端子を示す斜視図である。
【図８】図４のコネクタを示す斜視図である。絶縁体部は取り除かれている。
【図９】図４のコネクタを示す他の斜視図である。
【図１０】図９のコネクタを示す底面斜視図である。ロック部の近傍（破線で囲まれた部分）が拡大して描画されている。
【図１１】図９のコネクタを示す平面図である。
【図１２】図１１のコネクタの一部をＡ−Ａ線に沿って示す部分断面図である。
【図１３】図９のコネクタを示す底面図である。第３接触部の近傍（破線Ｂで囲まれた部分）及びロック部の近傍（破線Ｃで囲まれた部分）が拡大して描画されている。
【図１４】図９のコネクタを示す左側面図である。ロック部の近傍（破線で囲まれた部分）が拡大して描画されている。
【図１５】図９のコネクタを示す右側面図である。
【図１６】特許文献１に開示されたコネクタを示す斜視図である。
【図１７】（ａ）〜（ｄ）は、特許文献２に開示されたコネクタにおけるカバー操作を説明するための図である。
【発明を実施するための形態】
【００１８】
図１を参照すると、本発明の一実施の形態によるコネクタ１０は、カード型デバイス（以下、単にカードという）７０との接続に使用されるコネクタである。コネクタ１０は、使用時において、基板（図示せず）に搭載される。カード７０は、略矩形の一対の主面を有するとともに、一方の主面に複数のカード接点（図示せず）を備えている。カード７０は、例えば、メモリカードである。但し、本発明は、それに限られない。本発明は、メモリカード以外のカード７０との接続に用いられるコネクタにも適用することができる。
【００１９】
図１に示されるように、コネクタ１０は、コネクタ本体２０と、カバー４０とを備えている。コネクタ本体２０は、ハウジング２２と、複数の端子列６０とを備えている。カバー４０は、ハウジング２２に移動可能に取り付けられている。カバー４０は、コネクタ１０の使用時において、カード７０を移動可能に保持する。端子列６０は、ハウジング２２に保持されている。
【００２０】
図１から図３までの図から理解されるように、カバー４０は、ハウジング２２に対して開閉可能である。換言すると、カバー４０は開位置（図１参照）と閉位置（図３参照）との間で回転軸の周りを回転可能である。また、図３及び図４から理解されるように、カバー４０は、閉位置とロック位置（図４参照）との間で前後方向に移動可能である。加えて、カバー４０は、閉位置とロック位置の間において、少なくともロック及びロック解除の操作に必要な範囲で、回転軸の回りを回転可能である。本実施の形態において、前後方向はＸ方向であり、＋Ｘ方向が前方、−Ｘ方向が後方である。
【００２１】
図５を参照すると、コネクタ本体２０のハウジング２２は、ベース２２０と、後壁２２２と、二つの後部側壁２２４と、二つの前部側壁２２６と、前壁２２８とを有している。ベース２２０は、格子状に形成されている。後壁２２２は、前後方向において、ベース２２０の後縁に位置している。後部側壁２２４は、前後方向において、後壁２２２の前方に位置している。また、後部側壁２２４は、前後方向と直交する横方向において、ベース２２０の両側に位置している。後部側壁２２４は、後壁２２２の横方向両端に接続されている。本実施の形態において、横方向はＹ方向である。前部側壁２２６は、前後方向において、後部側壁２２４よりも前方に位置し、かつ後部側壁２２４から離れている。前部側壁２２６は、横方向において、ベース２２０の両側に位置している。前壁２２８は、前後方向において、ベース２２０の前縁に位置している。前壁２２８の横方向両端は前部側壁２２６に接続されている。後壁２２２、後部側壁２２４、前部側壁２２６及び前壁２２８は、前後方向及び横方向の双方と直交する上下方向において、ベース２２０から上方へ延びている。本実施の形態において、上下方向はＺ方向である。＋Ｚ方向が上方であり、−Ｚ方向が下方である。ベース２２０、後壁２２２、後部側壁２２４、前部側壁２２６及び前壁２２８は、カード７０（図４参照）を収容する収容部３０を規定する。換言すると、ハウジング２２は、収容部３０を有している。
【００２２】
図５から理解されるように、ハウジング２２には、二つの軸受容部３２が設けられている。詳しくは、軸受容部３２は、ハウジング２２の後部側壁２２４に設けられている。軸受容部３２は、横方向において、互いに離れて位置し、かつ外側に開いている。軸受容部３２は、カバー４０（図４参照）をハウジング２２に取り付けるために利用される。
【００２３】
図５に示されるように、ハウジング２２は、前部側壁２２６から前後方向において後方に張り出した二つの張出部２４０を有している。張出部２４０には、上下方向において下方へ突出するロック部３４が夫々設けられている。このように、ハウジング２２には、二つのロック部３４が設けられている。ロック部３４は、前後方向において、軸受容部３２よりも前方に位置している。また、ロック部３４は、横方向において、互いに離れて位置している。ロック部３４は、カバー４０（図４参照）をロック状態に維持するために利用される。
【００２４】
図５及び図６から理解されるように、ハウジング２２は、絶縁体部２４と、フレーム２６と、付加的フレーム２８とを備えている。絶縁体部２４は、絶縁樹脂からなり、フレーム２６及び付加的フレーム２８の夫々は金属からなる。絶縁体部２４は、フレーム２６、付加的フレーム２８及び端子列６０を保持している。詳しくは、絶縁体部２４は、絶縁樹脂を用いて、フレーム２６、付加的フレーム２８及び端子６２と共に一体成型されている。
【００２５】
図５及び図６から理解されるように、フレーム２６及び付加的フレーム２８の夫々は、部分的に絶縁体部２４から露出している。換言すると、絶縁体部２４は、部分的に露出させた状態でフレーム２６及び付加的フレーム２８を保持している。本実施の形態において、ハウジング２２の収容部３０は、絶縁体部２４によって規定される。軸受容部３２は、絶縁体部２４とフレーム２６とによって規定される。ロック部３４は、フレーム２６の一部である。
【００２６】
図６から理解されるように、フレーム２６は、金属からなる一体物である。フレーム２６は、基部２６０と、長辺部２６２と、二つの延長部２６４とを有している。基部２６０は、横方向に延びている。長辺部２６２は、基部２６０の横方向両側から、前後方向において前方へ延びている。延長部２６４は、長辺部２６２の前端部から横方向において内側へ延びている。基部２６０は後壁２２２に対応する。長辺部２６２は、後部側壁２２４及び前部側壁２２６に対応する。延長部２６４は、前壁２２８に対応する。前後方向及び横方向の双方と直交する上下方向に沿って見たとき、フレーム２６は、ハウジング２２の収容部３０の少なくとも三方を囲っている。但し、本発明はこれに限られない。フレーム２６は、上下方向に沿って見たとき、収容部３０の全周を囲っていてもよい。
【００２７】
図６に示されるように、フレーム２６は、二つ第１接触部２６８と、二つの第２接触部２７０と、複数の第３接触部２７２と、複数の支持バネ部２７４とを有している。本実施の形態において、第３接触部２７２の数は二つである。支持バネ部２７４は、夫々第３接触部２７２に対応している。詳しくは、支持バネ部２７４は、弾性を有しており、対応する第３接触部２７２を支持している。したがって、本実施の形態において、支持バネ部２７４の数も二つである。但し、本発明はこれに限られない。第３接触部２７２及び支持バネ部２７４の数は、夫々三つ以上であってもよい。
【００２８】
図５及び図６から理解されるように、第１接触部２６８は、軸受容部３２に夫々対応している。第１接触部２６８の夫々は、対応する軸受容部３２内に少なくとも部分的に露出している。
【００２９】
図６から理解されるように、第２接触部２７０は、ロック部３４に夫々対応している。第２接触部２７０の夫々は、前後方向において対応するロック部３４の前方に位置している。図５に示されるように、第２接触部２７０もまた、張出部２４０に設けられている。第２接触部２７０は、ロック部３４と同様に、上下方向において、張出部２４０から下方へ突出している。但し、第２接触部２７０の下端は、ロック部３４の下端よりも上下方向において上方に位置している。
【００３０】
図６に示されるように、第３接触部２７２及び支持バネ部２７４は、前後方向において、第１接触部２６８と第２接触部２７０との間に位置している。また、支持バネ部２７４は、前方へ延びている。第３接触部２７２の夫々は、支持バネ部２７４の弾性により、少なくとも前後方向と直交する方向に移動可能である。本実施の形態において、第３接触部２７２は、少なくとも横方向に移動可能である。但し、本発明はこれに限られない。第３接触部２７２は、少なくとも上下方向に移動可能に支持バネ部２７４に支持されてもよい。その場合、後述する第１カバー接点４２６（図１３参照）は、腕部４２４（図１３参照）ではなく支持基部４２２（図１１）に設けられる。
【００３１】
図６に示されるように、フレーム２６は、さらに複数の被固定部２６６を有している。基部２６０、長辺部２６２及び延長部２６４の夫々に、少なくとも一つの被固定部２６６が設けられている。また、前後方向において、第１接触部２６８と第３接触部２７２との間には、少なくとも一つの被固定部２６６が設けられている。同様に、前後方向において、第２接触部２７０と第３接触部２７２との間にも、少なくとも一つの被固定部２６６が設けられている。被固定部２６６は、コネクタ１０が基板（図示せず）に搭載される際に、基板に固定される。
【００３２】
図６に示されるように、付加的フレーム２８は、横方向において、延長部２６４の間に位置している。付加的フレーム２８は、金属板からなり、被固定部２８２とバネ部２８４とを備えている。被固定部２８２は、コネクタ１０が基板（図示せず）に搭載されたとき、基板に接続される。バネ部２８４は、図５から理解されるように、少なくとも部分的にハウジング２２の収容部３０内に位置している。
【００３３】
図５及び図６に示されるように、本実施の形態において、端子列６０の数は二つである。端子列６０は、前後に配置されている。端子列６０の夫々は、横方向に並べられた複数の端子６２からなる。本実施の形態において、各端子列６０の端子６２の数は、１３個である。但し、本発明はこれに限られない。端子列６０の数及び各端子列６０における端子６２の数は、カード７０（図１参照）のカード接点（図示せず）の数及び配置に依存する。
【００３４】
図７を参照すると、端子６２の夫々は、単一の金属板からなり、接点６２０と、支持部６２２と、被保持部６２４と、接続部６２６とを有している。図５及び図７から理解されるように、被保持部６２４は、絶縁体部２４よって保持される。接続部６２６は、コネクタ１０が基板（図示せず）に搭載される際に、基板に接続される。接点６２０は、支持部６２２に支持され、収容部３０内に位置する。支持部６２２は、弾性を有しており、接点６２０を移動可能に支持している。本実施の形態において、接点６２０は、支持部６２２の弾性により、少なくとも上下方向に移動可能である。カード７０（図４参照）が収容部３０に収容されると、接点６２０はカード接点（図示せず）によって上下方向において下方へ押し下げられる。同時に、接点６２０は、支持部６２２の反発力により上向きの力を受け、カード接点を上下方向において上方へ押圧する。
【００３５】
図１１及び図１３に示されるように、カバー４０は、主部４００と、二つの保持部４１０と、二つの軸支持部４２０と、二つの軸部４３０と、二つのタブ４４０とを有している。本実施の形態において、カバー４０は、単一の金属板からなる。また、カバー４０は、図１３から図１５までの図に示すように、二つの第１カバー接点４２６と、二つの被ロック部４４８と、二つの第２カバー接点４５０とを有している。第１カバー接点４２６は、軸支持部４２０に夫々設けられている。本実施の形態において、第１カバー接点４２６は、軸支持部４２０の一部である。被ロック部４４８は、タブ４４０に夫々設けられている。第２カバー接点４５０も、タブ４４０に夫々設けられている。本実施の形態において、被ロック部４４８及び第２カバー接点４５０の夫々は、タブ４４０の一部である。
【００３６】
図１１に示されるように、主部４００は略矩形の板状である。図４から理解されるように、主部４００は、横方向においてカード７０の主面と略同じサイズを有している。また、主部４００は、横方向と直交する第１方向において、カード７０の主面よりも小さいサイズを有している。本実施の形態において、第１方向は、カバー４０がロック位置にあるとき、前後方向に一致する方向である。カバー４０の主部４００は、カバー４０がロック位置にあるとき、ハウジング２２の上方又は上部に位置し、収容部３０を覆っている。本実施の形態において、カバー４０の上面の位置は、上下方向において、ハウジング２２の上端の位置と一致している。
【００３７】
図１１及び図１３から図１５までの図に示されるように、保持部４１０は、主部４００の横方向両側に設けられている。保持部４１０の夫々は、側板部４１２とフック部４１４とを有している。側板部４１２は、主部４００から第１方向及び横方向の双方と直交する第２方向へ延びている。第２方向は、カバー４０がロック位置にあるとき、上下方向における下方に一致する方向である。フック部４１４は、側板部４１２から横方向内側へ延びている。本実施の形態において、カバー４０がロック位置にあるとき、フック部４１４は、側板部４１２の後部に位置する。カード７０（図１参照）は、側板部４１２の間、かつ主部４００とフック部４１４との間に保持される。
【００３８】
図１１から図１５までの図に示されるように、軸支持部４２０は、主部４００の横方向両側に設けられている。カバー４０がロック位置にあるとき、軸支持部４２０は、前後方向において、保持部４１０よりも後方に位置する。軸支持部４２０の夫々は、支持基部４２２と腕部４２４とを有している。支持基部４２２は、主部４００から横方向外側へ延びている。腕部４２４は、支持基部４２２から第２方向へ延びた後、第１方向に沿ってさらに延びている。カバー４０が閉位置又はロック位置にあるとき、腕部４２４の先端は、前後方向において後方に向けられている。
【００３９】
図１１から図１３までの図に示されるように、軸部４３０は、軸支持部４２０の先端部に夫々設けられている。軸部４３０は、軸支持部４２０から横方向内側へ突出し、互いに対向している。また、軸部４３０は、横方向において、主部４００の外側に位置している。
【００４０】
図１３から図１５までの図に示されるように、タブ４４０は、保持部４１０の側板部４１２から横方向外側に夫々延びている。それゆえ、タブ４４０に設けられた被ロック部４４８及び第２カバー接点４５０は、横方向において主部４００の外側に位置する。本実施の形態において、カバー４０がロック位置にあるとき、タブ４４０は、側板部４１２の前部に位置する。タブ４４０の夫々には、上下方向において、上面４４２から下面４４４までを貫く開口部４４６が形成されている。開口部４４６の前縁が被ロック部４４８を構成する。また、タブ４４０の上面４４２が、部分的に第２カバー接点４５０を構成する。
【００４１】
図１から図４までの図から理解されるように、カバー４０は、軸受容部３２を利用してハウジング２２に取り付けられる。詳しくは、軸部４３０が軸受容部３２に夫々受容され、それによってカバー４０はハウジング２２に取り付けられる。軸受容部３２は、横方向に沿った軸を回転軸とする軸部４３０の回転を許容する。これにより、カバー４０は、開位置（図１）と閉位置（図３）との間で、軸部４３０を軸とする回転移動が可能である。また、軸受容部３２は、軸部４３０の前後方向の移動を許容する。これにより、カバー４０は、閉位置とロック位置（図４）との間で前後方向において移動可能である。こうして、カバー４０は、開位置、閉位置及びロック位置のいずれかに位置することができる。
【００４２】
図１３から図１５を参照すると、軸受容部３２には、軸受容部３２を前部と後部に区分するリッジ部３２０が設けられている。リッジ部３２０は、絶縁体部２４の一部により構成される。リッジ部３２０は、横方向において外側へ突出し、かつ上下方向へ延びている。また、リッジ部３２０は、前後方向において緩やかな二つの傾斜面を有している。リッジ部３２０は、カバー４０を前後方向に移動させるときに、軸部４３０に接触して抵抗力を与える。これにより、軸部４３０の前後方向における自由な移動が防止される。その一方で、軸支持部４２０は弾性変形可能であり、軸部４３０がリッジ部３２０を乗り越えることを可能にする。したがって、所定の力以上の力を用いれば、カバー４０を前後方向に移動させることが可能である。
【００４３】
図１及び図２から理解されるように、カード７０をカバー４０に保持させた状態で、カバー４０を開位置から閉位置へ向かって移動させると、カード７０のカード接点（図示せず）が接点６２０に接触する。支持部６２２の反発力を超える力でカバー４０をさらに上下方向における下方へ押し下げると、カード７０がバネ部２８４に接触する。図２及び図３から理解されるように、支持部６２２及びバネ部２８４の双方の反発力を超える力でさらにカバー４０を、上下方向における下方へ押下げると、カード７０は収容部３０に収容され、カバー４０は、閉位置に至る。この間、第２接触部２７０及び第３接触部２７２がカバー４０に接触することはない。よって、第２接触部２７０及び第３接触部２７２は、カバー４０の回転の障害とはならない。
【００４４】
図３に示されるように、カバー４０が閉位置（図３参照）に位置するとき、カバー４０に保持されたカード７０は収容部３０に収容される。図３及び図４から理解されるように、閉位置にあるカバー４０を前後方向において前方へ移動させると、カバー４０はロック位置へ移動する。カバー４０がロック位置へ移動したとき、カード７０は依然として収容部３０に収容されたままである。このように、カバー４０は、カード７０に対して移動可能である。
【００４５】
ここで、収容部３０に収容されたカード７０（図４参照）は、端子６２（図５参照）及びバネ部２８４（図５参照）の反発力を受ける。そのため、ロック位置にあるカバー４０は、カード７０から、上下方向において上向きの力を受ける。以下の説明は、カバー４０がカード７０から上向きの力を受けていることを前提とする。
【００４６】
図９及び図１０に示されるように、カバー４０がロック位置に移動すると、タブ４４０が、部分的に張出部２４０の下側に移動する。これにより、被ロック部４４８は、上下方向において張出部２４０の下側に移動する。このとき、図１３に示されるように、被ロック部４４８は、前後方向において軸部４３０よりも前方に位置し、かつロック部３４よりも前方に位置する。タブ４４０がロック部３４に突き当ることによりカバー４０がロック位置へ移動できなくなることを回避するため、図１０に拡大して示されるように、ロック部３４の後面３４０は、前後方向に対して傾斜している。
【００４７】
図１０及び図１３から図１５までの図から理解されるように、カバー４０がロック位置に位置すると、ロック部３４は、少なくとも部分的にタブ４４０の開口部４４６内に位置する。そして、ロック部３４の前面３４２は、前後方向において、被ロック部４４８と対向する。カバー４０が前後方向において後方へ移動しようとすると、被ロック部４４８がロック部３４に突き当たる。そして、ロック部３４は、被ロック部４４８が前後方向において後方へ移動することを規制する。換言すると、ロック部３４は、カバー４０が前後方向において後方へ移動することを規制する。これにより、カバー４０はロック位置から閉位置へ移動することができず、コネクタ１０のロック状態が維持される。
【００４８】
図８及び図１２から理解されるように、カバー４０がロック位置にあるとき、軸部４３０は、第１接触部２６８の下に位置し、かつ接触している。また、図１４及び図１５に示されるように、カバー４０がロック位置にあるとき、第２カバー接点４５０は、第２接触部２７０の下に位置し、かつ接触している。
【００４９】
図３及び図４から理解されるように、カバー４０が閉位置からロック位置に移動する間に、第３接触部２７２はカバー４０の腕部４２４に接触する。そして、カバー４０がロック位置に位置すると、第３接触部２７２は、図１３に示されるように、腕部４２４に設けられた第１カバー接点４２６に接触する。このように、第１カバー接点４２６は、カバー４０が閉位置にあるとき、第３接触部２７２に接触しないが、カバー４０がロック位置にあるとき、第３接触部２７２に接触する。
【００５０】
上述したように、フレーム２６に設けられた第１接触部２６８、第２接触部２７０及び第３接触部２７２は、カバー４０の軸部４３０、第２カバー接点４５０及び第１カバー接点４２６に夫々接触している（図８及び図１３参照）。これにより、カード７０（図４参照）で発生し、カバー４０に伝わった熱は、軸部４３０、第２カバー接点４５０及び第１カバー接点４２６から、フレーム２６の第１接触部２６８、第２接触部２７０及び第３接触部２７２へ夫々伝わる（図８及び図１３参照）。こうして、カバー４０からフレーム２６へと伝わった熱は、複数の被固定部２６６（図６参照）を介して基板（図示せず）へ伝えられる。
【００５１】
このように、本実施の形態によるコネクタ１０は、フレーム２６とカバー４０との間の熱伝達経路として、軸部４３０とタブ４４０を利用するとともに、それらとは異なる熱伝達経路を設けたことで、カード７０で発生した熱を効率よく基板へ逃がすことができる。しかも、第３接触部２７２は、カバー４０の開閉操作にほとんど影響しない。また、フレーム２６が一体物であることから、カバー４０からの熱を分散して基板に伝えることができるとともに、フレーム２６とカバー４０との間の熱伝達経路のいずれかに接触不良が生じても、基板への熱伝達経路の全てを有効に活用することができる。
【００５２】
なお、上記説明では、ロック位置にあるカバー４０が、カード７０を介して上向きの力を受けることを前提とした。しかしながら、カード７０は本発明の構成要素ではない。そのため、カード７０が存在しない状態において、カバー４０がロック位置に位置したとき、カバー４０は、上述した位置よりも上下方向において若干下方に位置する可能性がある。その場合、カバー４０がロック位置にあるとき、カバー４０の軸部４３０は、第１接触部２６８の下方に位置し、かつ上下方向において第１接触部２６８と対向する。また、第２カバー接点４５０は、第２接触部２７０の下方に位置し、かつ上下方向において第２接触部２７０と対向する。また、ロック部３４は、タブ４４０の開口部４４６に部分的に進入していてもよいし、進入していなくてもよい。
【００５３】
以上、本発明について実施の形態を掲げて説明したが、本発明は上述した実施の形態に限定されず、本発明の主旨を逸脱することなく様々な変形や変更が可能である。たとえば、上記実施の形態では、第３接触部２７２を支持する支持バネ部２７４は、前方へ延びているが、別の方向へ延びるように形成されていてもよい。例えば、支持バネ部２７４は、後方、上方、斜め上後方、または斜め上前方へ延びるように形成されてよい。ただし、カバー４０との衝突による座屈などを考慮すると、支持バネ部２７４は前方へ延びていることが好ましい。
【符号の説明】
【００５４】
１０    コネクタ
２０    コネクタ本体
２２    ハウジング
２２０    ベース
２２２    後壁
２２４    後部側壁
２２６    前部側壁
２２８    前壁
２４    絶縁体部
２４０    張出部
２６    フレーム
２６０    基部
２６２    長辺部
２６４    延長部
２６６    被固定部
２６８    第１接触部
２７０    第２接触部
２７２    第３接触部
２７４    支持バネ部
２８    付加的フレーム
２８２    被固定部
２８４    バネ部
３０    収容部
３２    軸受容部
３２０    リッジ部
３４    ロック部
３４０    後面
３４２    前面
４０    カバー
４００    主部
４１０    保持部
４１２    側板部
４１４    フック部
４２０    軸支持部
４２２    支持基部
４２４    腕部
４２６    第１カバー接点
４３０    軸部
４４０    タブ
４４２    上面
４４４    下面
４４６    開口部
４４８    被ロック部
４５０    第２カバー接点
６０    端子列
６２    端子
６２０    接点
６２２    支持部
６２４    被保持部
６２６    接続部
７０    カード型デバイス（カード）
【図１】
2020004607.tif 000003
【図２】
2020004607.tif 000004
【図３】
2020004607.tif 000005
【図４】
2020004607.tif 000006
【図５】
2020004607.tif 000007
【図６】
2020004607.tif 000008
【図７】
2020004607.tif 000009
【図８】
2020004607.tif 000010
【図９】
2020004607.tif 000011
【図１０】
2020004607.tif 000012
【図１１】
2020004607.tif 000013
【図１２】
2020004607.tif 000014
【図１３】
2020004607.tif 000015
【図１４】
2020004607.tif 000016
【図１５】
2020004607.tif 000017
【図１６】
2020004607.tif 000018
【図１７】
2020004607.tif 000019